(57)【特許請求の範囲】
【請求項１】
雄ねじを受容する孔が設けられた締結部材と、この締結部材の孔を挟む両側の位置に取り付けられ、該締結部材の一面側に引き出された紐状部材と、この紐状部材に移動自在となるよう取り付けるグリップ部材とからなり、
前記グリップ部材が、締結具の挿通孔を有する頭部の一面側に一対の挟持片を、締結部材に対して幅方向に外嵌する間隔で対向するよう突設し、両挟持片の対向面に締結部材への外嵌状態で該締結部材に対して抜け止め方向に係合する係合爪を設けて形成され、壁面又は天井面に設けた取り付け孔に差し込んだ締結部材を壁面又は天井面の裏面側に位置させ、紐状部材の引っ張りによる壁面又は天井面の裏面への締結部材の当接と、座金の挿通孔から破損した取り付け孔へのグリップ部材の押し込みにより、グリップ部材の両挟持片を締結部材に係合させ、締結部材の孔に締結具をねじ込むことによって壁面又は天井面の外面に器具を固定するアンカーと、
上記グリップ部材の頭部よりも大径の外径を有し、頭部よりも小径となる両挟持片の挿通孔が設けられ、一面側に壁面又は天井面への食い込み片を突設した座金を用い、
壁面又は天井面の外面で破損した取り付け孔の部分に座金を当てがった状態で、この座金の挿通孔から差し込んだ締結部材を壁面又は天井面の裏面側に位置させ、次に、紐状部材の引っ張りによる壁面又は天井面の裏面への締結部材の当接と、座金の挿通孔から破損した取り付け孔へのグリップ部材の押し込みにより、グリップ部材の両挟持片を締結部材に係合させ、このとき、グリップ部材の頭部を座金で受けることにより、グリップ部材が破損した取り付け孔内に落ち込むのを防ぐようにすることを特徴とする取り付け孔が破損した壁面又は天井面に対する器具の再取り付け方法。
【請求項２】
雄ねじを受容する孔が設けられた締結部材と、この締結部材の孔を挟む両側の位置に取り付けられ、該締結部材の一面側に引き出された紐状部材と、この紐状部材に移動自在となるよう取り付けるグリップ部材とからなり、
前記グリップ部材が、締結具の挿通孔を有する頭部の一面側に一対の挟持片を、締結部材に対して幅方向に外嵌する間隔で対向するよう突設し、両挟持片の対向面に締結部材への外嵌状態で該締結部材に対して抜け止め方向に係合する係合爪を設けて形成され、壁面又は天井面に設けた取り付け孔に差し込んだ締結部材を壁面又は天井面の裏面側に位置させ、紐状部材の引っ張りによる壁面又は天井面の裏面への締結部材の当接と、座金の挿通孔から破損した取り付け孔へのグリップ部材の押し込みにより、グリップ部材の両挟持片を締結部材に係合させ、締結部材の孔に締結具をねじ込むことによって壁面又は天井面の外面に器具を固定するアンカーと、
上記グリップ部材の頭部よりも大径の外径を有し、頭部よりも小径となる両挟持片の挿通孔と、外周から挿通孔に達する紐状部材への差し込み用切れ目とが設けられ、一面側に壁面又は天井面への食い込み片を突設した座金を用い、
前記座金を紐状部材に切れ目から差し込んでグリップ部材の両挟持片に外嵌挿し、壁面又は天井面の外面で破損した取り付け孔から差し込んだ締結部材を壁面又は天井面の裏面側に位置させ、次に、壁面又は天井面の外面から破損した取り付け孔にグリップ部材を挿入し、この後、紐状部材の引っ張りによる壁面又は天井面の裏面への締結部材の当接と、座金の挿通孔から破損した取り付け孔へのグリップ部材の押し込みにより、グリップ部材の両挟持片を締結部材に係合させ、このとき、グリップ部材の頭部を壁面又は天井面の外面に当接した座金で受けることにより、グリップ部材が破損した取り付け孔内に落ち込むのを防ぐようにすることを特徴とする取り付け孔が破損した壁面又は天井面に対する器具の再取り付け方法。
【発明の詳細な説明】
【０００１】
【発明の属する技術分野】
この発明は、石膏ボード等の脆弱な壁面や裏面に手が入らないような条件の壁面又は天井面に各種器具等をビス等で固定するためのアンカーを用い、取り付け孔が破損して大径のバカ孔になっているような場合の再取り付けを可能にする取り付け孔が破損した壁面又は天井面に対する器具の再取り付け方法に関する。
【０００２】
【従来の技術】
例えば、石膏ボード等を用いた壁面にねじ等の締結部材を用いて各種器具等を固定した場合、石膏ボードは脆弱なため、経時的に振動や荷重が加わると、締結部材の貫通する部分が破損を受けて、締結部材が抜けたり器具の固定にガタツキが発生することになる。
【０００３】
【発明が解決しようとする課題】
ところで、上記のように、締結部材が抜けたり器具の固定にガタツキが発生した場合に、再度器具の固定を行おうとすると、取り付け孔は元よりも大径孔になっているので、同じサイズの締結部材の使用が不可能であり、この大径孔に対応することのできる締結部材の採用が必要になるが、器具と締結部材の条件が合わない場合は、壁材そのものを取り換えなければならないことになる。
【０００４】
そこで、この発明の課題は、壁面又は天井面の取り付け孔が最初にあけた径よりも大径孔になっても、アンカーと座金を用いて品物の再取り付けが簡単に行える、取り付け孔が破損した壁面又は天井面に対する器具の再取り付け方法を提供することにある。
【０００５】
【課題を解決するための手段】
上記のような課題を解決するため、請求項１の発明は、雄ねじを受容する孔が設けられた締結部材と、この締結部材の孔を挟む両側の位置に取り付けられ、該締結部材の一面側に引き出された紐状部材と、この紐状部材に移動自在となるよう取り付けるグリップ部材とからなり、前記グリップ部材が、締結具の挿通孔を有する頭部の一面側に一対の挟持片を、締結部材に対して幅方向に外嵌する間隔で対向するよう突設し、両挟持片の対向面に締結部材への外嵌状態で該締結部材に対して抜け止め方向に係合する係合爪を設けて形成され、壁面又は天井面に設けた取り付け孔に差し込んだ締結部材を壁面又は天井面の裏面側に位置させ、紐状部材の引っ張りによる壁面又は天井面の裏面への締結部材の当接と、座金の挿通孔から破損した取り付け孔へのグリップ部材の押し込みにより、グリップ部材の両挟持片を締結部材に係合させ、締結部材の孔に締結具をねじ込むことによって壁面又は天井面の外面に器具を固定するアンカーと、上記グリップ部材の頭部よりも大径の外径を有し、頭部よりも小径となる両挟持片の挿通孔が設けられ、一面側に壁面又は天井面への食い込み片を突設した座金を用い、壁面又は天井面の外面で破損した取り付け孔の部分に座金を当てがった状態で、この座金の挿通孔から差し込んだ締結部材を壁面又は天井面の裏面側に位置させ、次に、紐状部材の引っ張りによる壁面又は天井面の裏面への締結部材の当接と、座金の挿通孔から破損した取り付け孔へのグリップ部材の押し込みにより、グリップ部材の両挟持片を締結部材に係合させ、このとき、グリップ部材の頭部を座金で受けることにより、グリップ部材が破損した取り付け孔内に落ち込むのを防ぐようにする構成を採用したものである。
【０００６】
請求項２の発明は、雄ねじを受容する孔が設けられた締結部材と、この締結部材の孔を挟む両側の位置に取り付けられ、該締結部材の一面側に引き出された紐状部材と、この紐状部材に移動自在となるよう取り付けるグリップ部材とからなり、前記グリップ部材が、締結具の挿通孔を有する頭部の一面側に一対の挟持片を、締結部材に対して幅方向に外嵌する間隔で対向するよう突設し、両挟持片の対向面に締結部材への外嵌状態で該締結部材に対して抜け止め方向に係合する係合爪を設けて形成され、壁面又は天井面に設けた取り付け孔に差し込んだ締結部材を壁面又は天井面の裏面側に位置させ、紐状部材の引っ張りによる壁面又は天井面の裏面への締結部材の当接と、座金の挿通孔から破損した取り付け孔へのグリップ部材の押し込みにより、グリップ部材の両挟持片を締結部材に係合させ、締結部材の孔に締結具をねじ込むことによって壁面又は天井面の外面に器具を固定するアンカーと、上記グリップ部材の頭部よりも大径の外径を有し、頭部よりも小径となる両挟持片の挿通孔と、外周から挿通孔に達する紐状部材への差し込み用切れ目とが設けられ、一面側に壁面又は天井面への食い込み片を突設した座金を用い、前記座金を紐状部材に切れ目から差し込んでグリップ部材の両挟持片に外嵌挿し、壁面又は天井面の外面で破損した取り付け孔から差し込んだ締結部材を壁面又は天井面の裏面側に位置させ、次に、壁面又は天井面の外面から破損した取り付け孔にグリップ部材を挿入し、この後、紐状部材の引っ張りによる壁面又は天井面の裏面への締結部材の当接と、座金の挿通孔から破損した取り付け孔へのグリップ部材の押し込みにより、グリップ部材の両挟持片を締結部材に係合させ、このとき、グリップ部材の頭部を壁面又は天井面の外面に当接した座金で受けることにより、グリップ部材が破損した取り付け孔内に落ち込むのを防ぐようにする構成を採用したものである。
【０００７】
ここで、上記締結部材は、硬質の材料を用いて一面側に平坦面を有する棒軸状となり、その中央にビスの雄ねじを受容する孔と、この孔を挟んで締結部材の長さ方向に沿う両側の位置に紐挿通孔とを、一面側から他面側に貫通するよう並設して形成され、紐状部材が一本の連続したものからなり、両紐挿通孔に締結部材の他面側から挿通することにより一面側に引き出され、グリップ部材は両挟持片と直角の位置関係の配置で頭部の両側に設けた紐挿通孔を紐状部材に挿通することにより、紐状部材に移動自在に取り付けられている。
【０００８】
また、上記締結部材は、一面側で中央部の位置に、平坦面に対して突出する突軸部が設けられ、雄ねじを受容する孔と紐挿通孔がこの突軸部を貫通している構造とすることができる。
【０００９】
【発明の実施の形態】
以下、この発明の実施の形態を図示例と共に説明する。
【００１０】
図１乃至図３のように、この発明の壁面又は天井面に対する器具の再取り付け方法の実施には、アンカー１と、このアンカー１に組み合わせる座金２１とが用いられる。
【００１１】
まず、アンカー１は、締結部材２と、この締結部材２に連結して一面側に引きだされる紐状部材３と、この紐状部材３に移動自在となるよう取り付けるグリップ部材４との組み合わせからなり、締結部材２は、各種金属や合成樹脂等の硬質の材料を用いて一面側に平坦面５を有する棒軸状に形成され、その中央にビスの雄ねじを受容する孔６と、この孔６を挟んで締結部材２の長さ方向に沿う両側の位置に紐挿通孔７、７とが一面側から他面側に貫通するよう設けられている。
【００１２】
この締結部材２の一面側で中央の位置には、平坦面５に対して突出する円軸や角軸状の突軸部８が設けられ、上記した雄ねじを受容する孔６と紐挿通孔７、７がこの突軸部８を貫通している。このように、突軸部８を設けることにより、締結部材２の厚みを部分的に厚くでき、雄ねじを受容する孔６の長さを十分に確保できてビスとの締結力を向上させることができるという利点がある。
【００１３】
上記ビスの雄ねじを受容する孔６は、図示の場合、孔の内周面に複数の突条９を軸方向に沿って設け、ビスのねじ山がこの突条９に食い込むことにより、締結が行えるようにしたものを示したが、ビスの雄ねじが螺合するねじ孔に形成してもよい。
【００１４】
前記紐状部材３は、図示の場合、樹脂成形による一体構造を例示し、両紐挿通孔７、７に締結部材２の他面側からそれぞれ挿通する二本の紐体３ａの一端側を、両紐挿通孔７、７の間隔に一致するよう接続部３ｂで接続して二又状とし、両紐体３ａは締結部材２よりも十分に長い長さを有し、その他端側は結合具１０で結合するようになっている。
【００１５】
この紐状部材３は、上記のような構造に限定されるものではなく、一端側に頭部を設けた一本物の構造とし、両紐挿通孔７、７に対して締結部材２の他面側から挿通するようにしてもよい。
【００１６】
前記グリップ部材４は、円形頭部１１の中央にビスの挿通孔１２を設け、この頭部１１の裏面側に、上記挿通孔１２が貫通する短い円軸部１３と、この円軸部１３の周囲で挿通孔１２を挟む両側の位置から該円軸部１３の軸方向に突出し、締結部材２に対して幅方向に外嵌する間隔で対向する一対の挟持片１４、１４とを設け、両挟持片１４、１４の対向面で長さ方向の途中の位置に、締結部材２への外嵌状態で該締結部材２に対して抜け止め方向に係合する係合爪１５、１５が設けられている。
【００１７】
上記グリップ部材４における円軸部１３と両挟持片１４、１４の外面には、頭部１１から軸方向に下がり傾斜となる回り止め突起１６が設けられ、頭部１１の挿通孔１２を挟む両側で、両挟持片１４、１４と直角となる位置に紐体３ａの紐挿通孔１７、１７が紐挿通孔７、７と等しい間隔で設けられている。
【００１８】
このグリップ部材４は、各種金属や合成樹脂を用いて形成され、一対の挟持片１４、１４は厚みを薄くするか材料のもつ弾性により、対向間隔が拡開可能で初期の状態に復元する弾性を備えていると共に、両挟持片１４、１４に対する紐挿通孔１７、１７の位置関係により、紐挿通孔１７、１７を紐体３ａに挿通して紐状部材３へ移動自在に取り付けたとき、締結部材２に対して両挟持片１４、１４が幅方向に向く姿勢となるよう配置されることになる。
【００１９】
図１に示すように、締結部材２の中央部で両側面には、グリップ部材４の挟持片１４が納まる幅で底がフラットな凹部１８が形成され、一対となる両挟持片１４、１４は両側凹部１８間の寸法に対して嵌合する対向間隔を有し、グリップ部材４を紐体３ａに沿って締結部材２側に移動させると、両挟持片１４、１４は締結部材２の両側凹部１８間の部分に確実に外嵌することになる。
【００２０】
両挟持片１４、１４が凹部１８間に外嵌するとき、両挟持片１４、１４の内面に設けた係合爪１５、１５が凹部１８間の部分に乗り上げて通過し、この時両挟持片１４、１４は上記した弾性で外方に逃げ、係合爪１５、１５が凹部１８間を通過すると両挟持片１４、１４は元の間隔に復帰し、これにより、係合爪１５、１５は締結部材２の凹部１８間の他面側部分に係合可能となり、この係合により、締結部材２とグリップ部材４が抜け止め状に結合されることになる。
【００２１】
上記両挟持片１４、１４における係合爪１５、１５は、図示の場合、締結部材２とグリップ部材４を抜け止め状に結合したとき、締結部材２の平坦面５と頭部１１の間隔が壁面材Ａの板厚に一致するように位置を設定したが、壁面材Ａの板厚が違っても使えるように、係合爪１５、１５で締結部材２とグリップ部材４を抜け止め状に結合したとき、締結部材２の平坦面５と壁面材Ａの間に多少隙間が空くように該係合爪１５、１５の位置を設定してもよい。この場合、後述するように、締結部材２に設けた孔６にビスＤをねじ込んで締め付けていけば、締結部材２は両挟持片１４、１４に沿って壁面材Ａの裏面に引き寄せられることになる。
【００２２】
なお、締結部材２とグリップ部材４の抜け止め方向の結合強度を向上させるために、図１の例では、締結部材２の他面側で中央部の挿通孔１２を挟む両側の位置に凹段部１９を設け、係合爪１５、１５は挟持片１４、１４から頭部１１側に向けて薄い板厚で傾斜状に突出させ、その先端の爪先１５ａ、１５ａを凹段部１９内に係合させるようにしている。
【００２３】
また、係合爪１５、１５は、挟持片１４、１４に連なる根元部分を厚肉に形成し、係合爪１５、１５の耐引っ張り強度を向上させるようにしてもよい。
【００２４】
次に、座金２１は、図２と図１０に示すように、所定厚みの金属板を用い、上記グリップ部材４の頭部１１よりも大径の外径を有する円形で、その中央部に、頭部１１よりも小径となる両挟持片１４の挿通孔２２と、周囲の一部に外周から挿通孔２２に達する紐状部材３への差し込み用切れ目２３とが設けられ、一面側の外周部で軸心を挟む対角位置に壁面材Ａへの食い込み片２４が突設されている。
【００２５】
また、座金２１における挿通孔２２の内周には、グリップ部材４における回り止め突起１６に嵌合する切り欠き部２５が設けられ、挿通孔２２の内周で食い込み片２４が突出する面に補強用の周壁２６が部分的に設けてある。
【００２６】
この発明に用いるアンカー１と座金２１は上記のような構成であり、次に、このアンカー１と座金２１を用い、取り付け孔Ｂが破損した壁面材Ａに対する器具Ｃの再取り付け方法を説明する。
【００２７】
再取り付け方法における座金２１の使用には、二つの形態があり、何れの場合も、壁面材Ａには、既存の締結部材で取り付けた品物を取り外した跡に、孔径がグリップ部材４の頭部１１の外径に近づいたり、それよりも大径になる取り付け孔Ｂがあいているときに使用する。
【００２８】
第１の再取り付け方法
先ず、図２（Ａ）のように、座金２１を紐状部材３の紐体３ａに切れ目２３から差し込んで挿通孔２２をグリップ部材４の両挟持片１４に外嵌挿し、切り欠き部２５を回り止め片１６に嵌合することにより、図２（Ｂ）のように、グリップ部材４に座金２１をセットする。この時、座金２１は食い込み片２４が両挟持片１４、１４の先端側に向く位相にしておく。
【００２９】
次に、図４（Ａ）のように、紐状部材３の紐体３ａを締結部材２の長さ方向に沿うよう湾曲させた状態で、締結部材２を取り付け孔Ｂに挿入して壁面材Ａの裏面側空間に位置させれば、紐体３ａの弾性による復元で締結部材２は、壁面材Ａの裏面側に平行し、この状態で、紐体３ａに沿ってグリップ部材４を壁面材Ａに向けて移動させ、一対となる両挟持片１４、１４を取り付け孔Ｂ内に挿入する。
【００３０】
取り付け孔Ｂへのグリップ部材４の押し込みと、紐状部材３の引っ張りにより壁面材Ａの裏面への締結部材２の引き寄せを行い、グリップ部材４の頭部１１で座金２１が壁面材Ａの取り付け孔Ｂの部分に押し当てられ、食い込み片２４が取り付け孔Ｂの内周に食い込み、引き寄せた締結部材２が対向する両挟持片１４、１４間に引き込まれ、更に引き込むと、図４（Ｂ）の如く、両係合爪１５、１５間を締結部材２が通過することにより両挟持片１４、１４は押し開かれて外側に開き、締結部材２が係合爪１５、１５間を通過すると、図５に示すように、両挟持片１４、１４は復元弾性によって閉じ、両係合爪１５、１５が締結部材２に対して抜け止め方向に係合し、このとき、グリップ部材４の頭部１１を壁面材Ａの外面に当接した座金２１で受けることにより、グリップ部材４が取り付け孔Ｂ内に落ち込むのを防止する。
【００３１】
この状態で、締結部材２は平坦面５が壁面材Ａの裏面に当接して中央の突軸部８が取り付け孔Ｂに嵌合し、締結部材２と座金２１を介してグリップ部材４の頭部１１で壁面材Ａを両面から挟み込むことになる。
【００３２】
上記座金２１は、食い込み片２４で壁面材Ａに対して回り止め状となり、かつ、取り付け孔Ｂの開口を閉鎖することにより、グリップ部材４が取り付け孔Ｂ内に落ち込むのを防止することになる。
【００３３】
グリップ部材４は、円軸部１３と挟持片１４、１４の外面に設けた回り止め突起１６が座金２１の切り欠き部２５に嵌まり込み、壁面材Ａに対して回り止め状になると共に、締結部材２はこのグリップ部材４の両挟持片１４、１４間に納まっているので回り止め状に保持される。
【００３４】
締結部材２とグリップ部材４で壁面材Ａを両面から挟み込んだ状態で、図７のように、カッター等の刃物３１を用い、紐体３ａを頭部１１から突出する部分で切断除去し、この後、図８のように壁面材Ａの表面に器具Ｃを重ね、壁面材Ａと器具Ｃの間に座金２１とグリップ部材４の頭部１１を挟み込み、器具Ｃに挿通したビスＤをグリップ部材４の挿通孔１２に挿入し、このビスＤを締結部材２に設けた孔６にねじ込み、図８のように、壁面材Ａに器具Ｃを締結固定する。
【００３５】
ねじ込んだビスＤが孔６を貫通するとき、締結部材２とグリップ部材４の紐挿通孔７、１７内に残っていた紐状部材３の先端部分は、図８に一点鎖線で示すように、ビスＤの先端で押し出されて抜け出ることになる。
【００３６】
上記ビスＤを締結部材２の孔６にねじ込むとき、ビスＤの挿入で締結部材２に対して押し込み力が作用し、締結部材２は後方に移動するが、このとき、締結部材２は図８に二点鎖線で示すようにグリップ部材４の両係合爪１５、１５で抜け止め状に保持されているので、ビスＤによる押し込み力で締結部材２が脱落するようなことがなく、孔６に対するビスＤのねじ込みが支障なく行え、ビスＤのねじ込みにより、締結部材２は壁面材Ａの裏面に引き寄せられることになる。
【００３７】
また、ビスＤのねじ込み時に締結部材２に回転トルクが作用するが、該締結部材２は、グリップ部材４と座金２１を介して壁面材Ａに回り止め状に保持されているので、共回りの発生はなく、従って、ビスＤのねじ込み時に締結部材２を紐体３ａで常時引っ張り保持する必要はなく、ビスＤのねじ込み前に紐体３ａを切断除去しても何ら支障がないと共に、ねじ込みだけの単純作業となるので、作業性が大幅に向上することになる。
【００３８】
なお、上記した構造のアンカー１は、壁面材Ａの取り付け孔Ｂから裏面の手の入らないような隙間に対して締結部材２を支障なく挿入することができ、しかも、締結部材２は座金２１を介してグリップ部材４で壁面材Ａに対して回り止め状に保持されるので、ビスＤのねじ込み時にビスＤの押し込み力が加わっても締結部材４が落ち込むことはなく、また、ビスＤのねじ込み時は、ねじ込むだけの単純作業で可能となり、壁面材Ａに対して器具Ｃを固定する締結作業の簡略化が可能になるという利点がある。
【００３９】
第２の再取り付け方法
先ず、図９のように、壁面材Ａの外面で取り付け孔Ｂの部分に座金２１を当てがい、食い込み片２４を取り付け孔Ｂの内周に食い込ませることで仮固定の状態にする。なお、この第２の再取り付け方法に用いる座金２１は、図示したものとは別に、紐状部材３への差し込み用切れ目２３を設けない構造のものを採用するようにしてもよい。
【００４０】
次に、紐状部材３の紐体３ａを締結部材２の長さ方向に沿うよう湾曲させた状態で、締結部材２を上記座金２１の挿通孔２２から取り付け孔Ｂに挿入して壁面材Ａの裏面側空間に位置させ、取り付け孔Ｂ内に座金２１の挿通孔２２からグリップ部材４を挿入し、その頭部１１が座金Ａの表面に当接する状態を保持しつつ、両側の紐体３ａを手前に引っ張って締結部材２をグリップ部材４内へ抜け止め方向に係合させ、この係合後は、上述した第１の再取り付け方法と同じ手順の作業を行うことにより、ビスＤを締結部材２に設けた孔６にねじ込み、壁面材Ａに器具Ｃを締結固定する。
【００４１】
【発明の効果】
以上のように、この発明によると、締結部材と紐状部材及びグリップ部材からなるアンカーと、このアンカーに組み合わせる座金とを用い、取り付け孔の裏面側に挿入した締結部材にねじ込むビスで壁面又は天井面に器具を固定するようにしたので、壁面又は天井面の取り付け孔が最初にあけた径よりも大径のバカ孔になっても、座金による取り付け孔の開口端の閉鎖で取り付け孔へのグリップ部材の落ち込みの発生がなく、破損した取り付け孔に対して、アンカーと座金を用いて品物の再取り付けが簡単確実に行えることになり、取り付け孔が破損した壁面又は天井面に対する器具の再取り付けが壁材や天井材を取り換えることなく可能になる。
【図面の簡単な説明】
【図１】アンカーと座金の分解斜視図
【図２】（Ａ）はアンカーに座金を取り付ける途中の斜視図、（Ｂ）はアンカーに座金を取り付けた状態の斜視図
【図３】（Ａ）は座金を取り付けたアンカーの一部切り欠き斜視図、（Ｂ）は同縦断側面図
【図４】（Ａ）は壁面材の下孔にアンカーの締結部材を挿入した状態の横断面図、（Ｂ）は同壁面材の裏面側に位置した締結部材をグリップ部材内に引き込んだ状態の横断面図
【図５】（Ａ）は図３（Ｂ）に該当する断面図、（Ｂ）はグリップ部材内に締結部材を引き込む途中を示す断面図、（Ｃ）はグリップ部材内に締結部材を完全に引き込んだ状態の断面図
【図６】グリップ部材内に締結部材を完全に引き込んだ状態の横断面図
【図７】グリップ部材内に締結部材を完全に引き込んだ後の紐体の切断工程を示す横断面図
【図８】器具の締結完了状態を示す横断面図
【図９】第２の再取り付け方法における座金の取り付け途中を示す斜視図
【図１０】（Ａ）は座金の正面図、（Ｂ）は座金の側面図、（Ｃ）は座金の背面図、（Ｄ）は座金の斜視図
【符号の説明】
１    アンカー
２    締結部材
３    紐状部材
３ａ  紐体
４    グリップ部材
５    平坦面
６    孔
７    紐挿通孔
８    突軸部
９    突条
１１  頭部
１２  ビスの挿通孔
１４  挟持片
１５  係合爪
１６  回り止め突起
１７  紐挿通孔
１８  凹部
１９  凹段部
２０  係合面
２１  座金
２２  挿通孔
２３  差し込み用切れ目
２４  食い込み片
２５  切り欠き部
【図１】
0004199910.tif 000002
【図２】
0004199910.tif 000003
【図３】
0004199910.tif 000004
【図４】
0004199910.tif 000005
【図５】
0004199910.tif 000006
【図６】
0004199910.tif 000007
【図７】
0004199910.tif 000008
【図８】
0004199910.tif 000009
【図９】
0004199910.tif 000010
【図１０】
0004199910.tif 000011